(57)【特許請求の範囲】
【請求項１】
シート状物を挟持する際にシート状物を引き込みながら挟持する引き込み機能付き挟持具であって、
基台と、
開閉部材と、
前記開閉部材を前記基台に対し開き戸式に開閉するよう軸支する開閉軸と、
前記開閉軸に平行で、前記基台に支持される基台側挟持軸と
前記開閉軸に平行で、前記開閉部材に支持される開閉部材側挟持軸と、
前記基台側挟持軸の周りに回動し、前記開閉部材側挟持軸に対向する側の外周面に円筒面状の曲面挟持部を有する曲面ローラと、
前記開閉部材側挟持軸の周りに回動し、前記基台側挟持軸に対向する側の外周面に前記開閉部材側挟持軸の軸心に平行な平面、又は前記曲面挟持部より曲率半径の大きな凹曲面若しくは凸曲面からなる緩面挟持部を有する緩面ローラと、
前記緩面挟持部を前記開閉軸から遠ざかる向きへ回動させるよう付勢する付勢手段と
を備え、
前記開閉部材側挟持軸の軸心と前記基台側挟持軸の軸心は、前記開閉軸からの距離が等しく、
前記開閉部材側挟持軸は、前記開閉部材の開閉動作に伴って前記開閉軸周りに回動して前記基台側挟持軸に接離し、
前記緩面挟持部、及び前記曲面挟持部は、協働してシート状物を挟持可能に構成されるとともに、前記基台に対し前記開閉部材を閉じた際に、前記の２つの挟持軸の軸心を含む仮想平面よりも前記開閉軸から近い位置で当接を開始するよう構成されていることを特徴とする引き込み機能付き挟持具。
【請求項２】
前記開閉部材側挟持軸は、前記緩面ローラの断面に対し、前記開閉軸から遠い側に偏心している請求項１に記載の引き込み機能付き挟持具。
【請求項３】
前記付勢手段による前記緩面挟持部の回動量を可変に規制するストッパーを備える請求項１、又請求項２に記載の引き込み機能付き挟持具。
【請求項４】
前記開閉部材を前記基台に対し閉じた状態でロックするロック手段を備える請求項１から請求項３に記載の引き込み機能付き挟持具。
【請求項５】
前記開閉部材の開閉端から前記開閉軸から遠ざかる方向へ延出するアーム部を備え、
前記ロック手段は、前記アーム部の先端部に設けられる係止部と、前記基台に直接的、
又は間接的に固定され、前記係止部に係合する係合部とを有し、
前記係止部は、係止部側挟持片を有し、
前記係合部は、係合部側挟持片を有し、
前記係止部側挟持片と前記係合部側挟持片の間でもシート状物を挟持するよう構成されている請求項４に記載の引き込み機能付き挟持具。
【請求項６】
前記ロック手段が磁石によりロックされる請求項４に記載の引き込み機能付き挟持具。
【請求項７】
前記ロック手段が前記開閉部材を閉じる方向に付勢する捻りばねからなる請求項４に記載の引き込み機能付き挟持具
【請求項８】
シート状物を張設する張設治具であって、
左右一対の縦辺、及び当該一対の縦辺を幅方向に連結する上下一対の横辺からなる枠部材と、
少なくとも２個の請求項５に記載の引き込み機能付き挟持具と
を備え、
前記引き込み機能付き挟持具は、前記開閉部材の開閉端側を前記枠部材の幅方向の内側に向け、前記緩面挟持部、及び前記曲面挟持部が前記枠部材の内側に突出するようにして前記縦辺の上下両端部にそれぞれ固定され、
前記係止部側挟持片、及び前記係合部側挟持片は、前記横辺から前記枠部材の内側に突出するように設けられている張設治具。
【発明の詳細な説明】
【技術分野】
【０００１】
この発明は、例えば、プリント基板を張設してメッキや搬送、洗浄を行う張設治具のクリップのようにプリント基板のようなシート状物を挟持するための挟持具に関し、特に、シート状物に張力を加えたり、弛みを除去するために、シート状物を引っ張った状態で挟持する挟持具、及びかかる挟持具を用いた張設治具に関する。
【背景技術】
【０００２】
従来、シート状のプリント基板をメッキ処理、搬送、あるいは洗浄処理する際には、プリント基板を張設治具に張設し、当該治具を搬送棒に吊り下げて、メッキや洗浄に用いる薬液が循環回流する処理槽内に浸漬するようにしている。かかる張設治具は、矩形の枠部材の縦辺に設けられたクリップでプリント基板の幅方向の両端を挟持するように構成されている。
【０００３】
ところが、プリント基板が薄い場合には、プリント基板が薬液の回流により撓んで破損する場合が有るため、かかる張設治具では、プリント基板をクリップで挟持する前に、治具に張設したプリント基板を幅方向に伸ばした上でクリップにより挟持するようにしている（例えば、特許文献１、特許文献２参照）。
【０００４】
つまり、特許文献１、及び特許文献２の張設治具では、枠部材の横辺が、互いにスライド可能な２つの部材により伸縮自在に構成されており、プリント基板を固定した枠部材の左右の縦辺を両手で引き離すよう引っ張ってプリント基板の弛みを無くし、この状態でプリント基板が弛まないよう枠部材の横辺の長さをねじ固定するようにしている。
【先行技術文献】
【特許文献】
【０００５】
【特許文献１】特開２００２−４７５９９号公報
【特許文献２】特開２００３−１６６０９９号公報
【発明の概要】
【発明が解決しようとする課題】
【０００６】
しかし、特許文献１や特許文献２の張設治具では、枠部材の縦辺を両手で引っ張ったあと横辺をねじ固定する際に両手を縦辺から離す必要が有るため、ねじ固定する間にプリント基板が弛んでしまう虞がある。
本発明は、かかる課題を解決するためになされたものであり、プリント基板等のシート状物の弛みを除去すべくシート状物を引き込む機能を備えた引き込み機能付き挟持具の提供を目的とする。
【課題を解決するための手段】
【０００７】
上記課題を解決するためになされた発明は、シート状物を挟持する際にシート状物を引き込みながら挟持する引き込み機能付き挟持具であって、基台と、開閉部材と、前記開閉部材を前記基台に対し開き戸式に開閉するよう軸支する開閉軸と、前記開閉軸に平行で、前記基台に支持される基台側挟持軸と前記開閉軸に平行で、前記開閉部材に支持される開閉部材側挟持軸と、前記基台側挟持軸の周りに回動し、前記開閉部材側挟持軸に対向する側の外周面に円筒面状の曲面挟持部を有する曲面ローラと、前記開閉部材側挟持軸の周りに回動し、前記基台側挟持軸に対向する側の外周面に前記開閉部材側挟持軸の軸心に平行な平面、又は前記曲面挟持部より曲率半径の大きな凹曲面若しくは凸曲面からなる緩面挟持部を有する緩面ローラと、前記緩面挟持部を前記開閉軸から遠ざかる向きへ回動させるよう付勢する付勢手段とを備え、前記開閉部材側挟持軸の軸心と前記基台側挟持軸の軸心は、前記開閉軸からの距離が等しく、前記開閉部材側挟持軸は、前記開閉部材の開閉動作に伴って前記開閉軸周りに回動して前記基台側挟持軸に接離し、前記緩面挟持部、及び前記曲面挟持部は、協働してシート状物を挟持可能に構成されるとともに、前記基台に対し前記開閉部材を閉じた際に、前記の２つの挟持軸の軸心を含む仮想平面よりも前記開閉軸から近い位置で当接を開始するよう構成されていることを特徴とする。
ここで、「ローラ」が「挟持軸周りに回動する」とは、ローラと挟持軸が共に回動する場合と、挟持軸が固定されローラのみが挟持軸の周りに回動する場合の両方を含むものとする。
【０００８】
本発明の引き込み機能付き挟持具では、図６（ａ）に示すように、緩面挟持部５１ａと曲面挟持部４１ａとが２つの挟持軸４０，５０の軸心４０ａ，５０ａを含む仮想平面Ｐ１より開閉軸３０に近い位置Ｔ０で密着させることで、シート状物Ｓは、まず、この位置Ｔ０で２つの挟持部４１ａ，５１ａに挟まれる。そして、さらに２つの挟持軸４０，５０間の距離を近づけると、図６（ｂ）に示すように、緩面挟持部５１ａと曲面挟持部４１ａは仮想平面Ｐ１上の位置Ｔ１へ密着箇所を移動させようとするため、緩面挟持部５１ａ、及び曲面挟持部４１ａは、開閉軸３０に近づく向きに回動する。こうして、シート状物Ｓを開閉軸３０の方へ引き込むことができる。また、このように、付勢手段６０により緩面挟持部５１ａを付勢することにより、シート状物Ｓが緩面挟持部５１ａと曲面挟持部４１ａの間で滑ることを抑制できる。
【０００９】
本発明の引き込み機能付き挟持具は、前記開閉部材側挟持軸は、前記緩面ローラの断面に対し、前記開閉軸から遠い側に偏心していることが好ましい。これにより、緩面ローラの断面が小さい場合であっても、緩面挟持部の回転半径を大きくできるので、緩面挟持部の移動距離を大きくしてシート状物を引き込む距離を長くすることができる。
【００１０】
本発明の引き込み機能付き挟持具は、前記付勢手段による前記緩面挟持部の回動量を可変に規制するストッパーを備えることがこのましい。このように、付勢手段による緩面挟持部の回動量を可変にすることで、シート状物を引き込む長さを調節することができる。
【００１１】
本発明の引き込み機能付き挟持具は、前記開閉部材を前記基台に対し閉じた状態でロックするロック手段を備えることが好ましい。こうすることで、シート状物を挟持した状態を維持することができる。
【００１２】
本発明は、前記開閉部材の開閉端から前記開閉軸から遠ざかる方向へ延出するアーム部を備え、前記ロック手段は、前記アーム部の先端部に設けられる係止部と、前記基台に直接的、又は間接的に固定され、前記係止部に係合する係合部とを有し、前記係止部は、係止部側挟持片を有し、前記係合部は、係合部側挟持片を有し、前記係止部側挟持片と前記係合部側挟持片の間でもシート状物を挟持するよう構成されている引き込み機能付き挟持具を含む。
このように、係止部側挟持片と係合部側挟持片の間でもシート状物を挟持することで、シート状物の撓みを一層効果的に抑制することができる。
【００１３】
本発明の引き込み機能付き挟持具は、前記ロック手段が磁石によりロックされるものや前記ロック手段が前記開閉部材を閉じる方向に付勢する捻りばねからなるものを含む。
【００１４】
本発明に係るシート状物を張設する張設治具は、左右一対の縦辺、及び当該一対の縦辺を幅方向に連結する上下一対の横辺からなる枠部材と、少なくとも２個の本発明に係る引き込み機能付き挟持具とを備え、前記引き込み機能付き挟持具は、前記開閉部材の開閉端側を前記枠部材の幅方向の内側に向け、前記緩面挟持部、及び前記曲面挟持部が前記枠部材の内側に突出するようにして前記縦辺の上下両端部にそれぞれ固定され、前記係止部側挟持片、及び前記係合部側挟持片は、前記横辺から前記枠部材の内側に突出するように設けられていることを特徴とする。
このように、緩面挟持部と曲面挟持部を枠部材の内側に突出するようにして縦辺の上下両端部に固定することで、当該２つの挟持部により枠内に張設するシート状物の縦辺を上下端部で挟持することができる。そして、係止部側挟持片と係合部側挟持片を枠部の横辺から枠部材の内側に突出するように設けることで、当該２つの挟持片によりシート状物の横辺を挟持することができる。これによりシート状物をより撓みにくくすることができる。
【発明の効果】
【００１５】
以上説明したように、本発明の引き込み機能付き挟持具、及び張設治具によれば、プリント基板等のシート状物を引っ張る作業と挟持する作業を同時に行うことができるため、シート状物の弛みを効果的に抑制することができる。
【図面の簡単な説明】
【００１６】
【図１】本発明の第１実施形態に係る引き込み機能付き挟持具を開いた状態の斜視図である。
【図２】図１の引き込み機能付き挟持具の縦断面斜視図である。
【図３】図１の引き込み機能付き挟持具を閉じた状態の斜視図である。
【図４】図１の引き込み機能付き挟持具を開いた状態の（ａ）平面図（ｂ）正面図、（ｃ）側面図である。
【図５】図１の引き込み機能付き挟持具を閉じた状態の側面図である。
【図６】図１の引き込み機能付き挟持具がシート状物を挟持すると同時に引き込む様子を側面視で示した説明図である。
【図７】本発明の第２実施形態に係る引き込み機能付き挟持具を備えた張設治具の引き込み機能付き挟持具近傍を拡大した（ａ）部分透視平面図、（ｂ）部分透視側面図である
【図８】本発明の第３実施形態に係る引き込み機能付き挟持具を備えた張設治具の平面図である。
【図９】図８の引き込み機能付き挟持具近傍を拡大して示した平面図である。
【図１０】図９の引き込み機能付き挟持具近傍の（ａ）側面図、（ｂ）の引き込み機能付き挟持具を開いた状態を示す側面図である
【発明を実施するための形態】
【００１７】
以下、適宜図面を参照しながら、本発明の実施形態について詳述する。ただし、本発明は、以下の実施形態に限定されるものではない。
【００１８】
（第１実施形態）
図１は、本発明の第１実施形態に係る引き込み機能付き挟持具１００を示している。引き込み機能付き挟持具１００は、ステンレス等の導電性を有する金属により形成され、基台１０と、開閉部材２０と、開閉部材２０を基台１０に対し開き戸式に開閉するよう軸支する開閉軸３０と、開閉軸３０に平行で、基台１０に支持される基台側挟持軸４０と、開閉軸３０に平行で、開閉部材２０に支持される開閉部材側挟持軸５０と、基台側挟持軸４０周りに回動し、外周面に円筒面状の曲面挟持部４１ａを有する曲面ローラ４１と、開閉部材側挟持軸５０周りに回動し曲面ローラ４１に対向する緩面挟持部５１ａを有する緩面ローラ５１と、緩面挟持部５１ａを開閉軸３０から遠ざかる向きへ回動させるよう緩面ローラ５１を付勢する付勢手段６０（図２参照）と、を主に備えている。
【００１９】
基台１０は、図１に示すように、開閉軸３０を軸支する開閉軸支持部１１と、基台側挟持軸４０を支持する基台側挟持軸支持部１２とからなる。
開閉軸支持部１１は、倒コ字状の金具からなり、中央の横板部１１ａと、横板部１１ａ両端から垂設される軸受け部１１ｂ，１１ｂとを有している。横板部１１ａには、一対のねじ孔１１ｃ，１１ｃ（図４（ｂ）参照）が設けられ、軸受け部１１ｂには、開閉軸３０を軸支する軸孔１１ｄ，１１ｄ（図４（ａ）、（ｂ）参照）が設けられている。
【００２０】
基台側挟持軸支持部１２は、図４（ｃ）に示すように、平面視長方形の背板部１２ａと一対の軸受け部１２ｂ，１２ｂとを備えている。背板部１２ａには、図４（ｂ）に示すように、一対のねじ穴１２ｃ，１２ｃが設けられ、軸受け部１２ｂには、基台側挟持軸４を軸支する軸孔１２ｄが設けられている。
引き込み機能付き挟持具１００は、図２に示すように、開閉軸支持部１１の横板部１１ａと、基台側挟持軸支持部１２の背板部１２ａで取り付け対象となる板状部材Ａを挟持しねじ穴１１ｃ、１２ｃと板状部材Ａのネジ孔に皿ねじ７を通してナット８によりに固定されている。
【００２１】
開閉部材２０は、図１に示すように、断面がコ字状をなし、中央の天板部２０ａと幅方向両端の軸受け部２０ｂ，２０ｂとを備えている。軸受け部２０ｂには、図４（ｂ）に示すように開閉軸３０を挿通して開閉軸３０周りに回動する旋回孔２０ｃと、開閉部材側挟持軸５０を挿通して固定する軸孔２０ｄが設けられている。
【００２２】
開閉軸３０は、図４（ｂ）に示すように、軸孔１１ｄと、旋回孔２０ｃに両端を挿通され、軸受け部１１ｄの外側からＥ型止め輪９により抜け止め固定されている。
【００２３】
基台側挟持軸４０は、図４（ｂ）に示すように、基台側挟持軸支持部１２の一対の軸受け部１２ｂ，１２ｂの軸孔１２ｄ，１２ｄに両端を挿通されて固定されており、基台側挟持軸４０には、図２に示すように、円筒状の曲面ローラ４１が、基台側挟持軸４０に対し回動可能に環装されている。本実施形態では、曲面ローラ４１の外周面全面が曲面挟持部４１ａに相当する。曲面挟持部４１ａには、不図示のローレットが設けられている。
【００２４】
開閉部材側挟持軸５０は、図４（ｂ）に示すように、軸孔２０ｄに両端が挿通されてＥ型止め輪９により抜け止め固定されている。開閉部材側挟持軸５０には、図２に示すように軸垂直断面が角丸正方形からなる角棒状の緩面ローラ５１が、開閉部材側挟持軸５０に対し回動可能に環装されている。開閉部材側挟持軸５０は、緩面ローラ５１の断面に対し開閉軸３０の反対側へ偏心している。緩面ローラ５１は、外周に平面からなる４つの側面を備え、本実施形態では、この４つの側面の内、曲面ローラ４１に対向する側面が緩面挟持部５１ａに相当する。図２の例では、緩面ローラ５１は、開閉部材２０の天板２０ａに当接することで回動範囲を規制されているが、例えば、図６（ａ）に示したように、天板２０ａの内面から出脱するネジ部材２２のようなストッパーにより、回動範囲を可変に規制するようにしてもよい。
【００２５】
付勢手段６０は、帯状の板バネからなり、図４（ｃ）に示すように、断面が略Ｊの字にに湾曲し、長手方向の一端側が天板２０ａの裏面にネジ固定され、下方へ湾曲した他端側を緩面挟持部５１ａの開閉軸３０側に隣接する付勢面５１ｂに当接させて、緩面挟持部５１ａを図２に示した矢印Ｘの向きに付勢する。
【００２６】
次に、図６を用いながら、引き込み機能付き挟持具１００の使用方法、及び各部の構成による作用・効果について説明する。
引き込み機能付き挟持部１００を用いて、シート状物Ｓに張力を付与しながら挟持する場合には、基台１０に対し開閉部材２０を開いて、曲面ローラ４１と緩面ローラ５１の間へシート状物を挿入する。
そして、図６（ａ）に示すように、開閉部材２０を基台１０に対し閉じるよう回動させて、緩面挟持部５１ａと曲面挟持部４１ａで、シート状物Ｓを挟持する。この際、緩面挟持部５１ａが開閉軸３０から遠ざかるように付勢されているため、緩面挟持部５１ａと曲面挟持部４１ａは、基台側挟持軸４０の軸心４０ａと開閉部材側挟持軸５０の軸心５０ａを含む平面Ｐ１（図６に一点鎖線により直線として表す。）より、開閉軸３０に近い側にある位置Ｔ０にて密着を開始する。
【００２７】
そして、さらに、開閉部材３０を基台１０へ押し付けるようにすると、図６（ｂ）に示したように、緩面挟持部５１ａと曲面挟持部４１ａの平面Ｐ１上における隙間ｈ（図６（ａ）参照）を埋めるべく、曲面ローラ４０及び緩面ローラ５０が白抜きの矢印で示した方向へ回転して、緩面挟持部５１ａと曲面挟持部４１ａの密着箇所は、仮想平面Ｐ１上の位置Ｔ１へ移動する。すると、シート状物Ｓは、白抜きの矢印で示したように開閉軸３０の方（図６（ｂ）の左方）へ引き込まれ、シート状物Ｓに張力が付与される。この際、付勢手段６０は、付勢面５１ｂに押圧されて、自由端側が開閉軸２０の方へ湾曲する。この湾曲した付勢手段の反力により、シート状物は緩面挟持部５１ａと曲面挟持部４１ａの間でしっかりと挟持される。
【００２８】
（第２実施形態）
図７は、本発明の第２実施形態に係る張設治具１０００を示している。図７に示すように、張設治具１０００は、プリント基板等のシート状物Ｓをメッキや洗浄用の薬液に浸漬する際や搬送する際にシート状物Ｓを張設するために用いられ、４つの引き込み機能付き挟持具２００（図７では１つみ図示）と、矩形の枠部材９０とを備えている。
尚、第２、及び第３実施形態において、第１実施形態と共通する部材については、同一符号を付して説明を省略する。
【００２９】
枠部材９０は、ステンレス等の導電性を有する金属からなり、左右一対の縦辺９１，９１と一対の縦辺９１，９１を幅方向に連結する上下一対の横辺９２，９２とからなる矩形の枠状に形成されている。（図７には、縦辺９１、横辺９２とも１辺のみ現れる。）
【００３０】
引き込み機能付き挟持具２００は、図７に示すように、基台側挟持軸４０に比べ、開閉軸２３０、及び開閉部材側挟持軸２５０が長く設けられ、開閉部材側挟持軸２５０の一端側（図７（ａ）の上側）に偏るようにして基台側挟持軸４０、曲面ローラ４１，緩面ローラ５１が設けられている。そして、開閉部材２２０は、開閉軸２３０、及び開閉部材側挟持軸２５０に合わせて幅広に設けられ、開閉部材２２０の幅方向の他端側（図７（ａ）の下側）において、開閉部材２２０の開閉端からアーム部２２１が延設され、アーム部２２１の先端位置にロック手段２７０が設けられている。
【００３１】
ロック手段２７０は、アーム部２２１の先端に設けられる係止部２７１と、枠部材９０の横辺９２に固定される係合部２７２とからなる。
係止部２７１は、アーム部２２１の先端に固設される有蓋円環状部２７１ａと有蓋円環状部２７１ａに収容される円盤型の永久磁石２７１ｂとからなり、有蓋円環状部２７１ａは、枠部材９０の内方へ延出する係止部側挟持片２７１ｃを有している。
【００３２】
係合部２７２は、横辺９２に固定配置される有底円環状部２７２ａと円盤型の永久磁石２７２ｂとを備え、磁力により係止部２７１に係合する。有底円環状部２７２ａには係止部側挟持片２７１ｃに対向する位置に、係合部側挟持片２７２ｃが設けられている。
係止部側挟持片２７１ｃと係合部側挟持片２７２ｃは、協働してシート状物Ｓの横辺を挟持する。
【００３３】
（第３実施形態）
図８は、本発明の第３実施形態に係る張設治具２０００を示している。張設治具２０００は、図８に示すように、８つの引き込み機能付き挟持具３００と、矩形の枠部材２０９０とを備えている。
【００３４】
引き込み機能付き挟持具３００は、実施形態１の引き込み機能付き挟持具１００が備える構成を全て備える他、図９に示すように、捻りばねからなるロック手段３７０を備えている。
【００３５】
ロック手段３７０は、一対の端辺３７０ａと中片３７０ｂとからなる略コ字状をなし、両端辺３７０ａの中間部に開閉部材２０を閉じる方向に付勢する渦巻き部３７０ｃを備えている。ロック手段３７０は、中片３７０ｂが開閉部材２０の上面２０ａに係止され、渦巻き部３７０ｃが開閉軸３０の両端に環装されて、鉤状に屈曲した両端が縦辺２０９１の係止孔２０９０ｂに固定されている。
引き込み機能付き挟持手段３００は、開閉部材２０の後端部（図９の左側）に回動可能に支持されるローラからなる開閉レバー２１を有し、図１０（ｂ）に示すように、開閉レバー２１を基台１０側（図１０（ｂ）の下側）へ押圧すると、開閉部材２０が、捻りばね３７０の付勢力に抗して開くよう構成されている。開閉レバー２１は、例えば、図１０（ｂ）に示すように、張設治具２０００にシート状物を自動でセットする装置の操作棹Ｂにより押圧されて、開閉部材２０を開く。
尚、本実施形態では、開閉軸支持部１１及び基台側挟持軸支持部１２は１枚のステンレス鋼板から一体に設けられ、開閉軸支持部１１を枠部材２０９０の縦辺２０９１にネジ固定することで、枠部材９０に取着されている。また、符号２０９０ａは、開閉部材１０が開いた際に開閉部材２０の後端部をかわすための透孔を、符号２０９１ｂは、基台１０を枠部材２０９０にネジ固定するための雌ネジ孔である。
【００３６】
本発明の引き込み機能付き挟持具、及び張設治具は、上述した実施形態に限られるものではなく、例えば、ロック機構は、磁石やばねを用いたものに限らず他の公知の方法を適宜に用いることができる。張設治具の枠部材において引き込み機能付き挟持具は幅方向の両側ではなくその一側にのみ設け、他側には張力付与機能を備えない挟持具を設けてもよい。緩面ローラを基台側挟持軸に設けてもよいし、曲面ローラを開閉部材側挟持軸に設けてもよい。緩面挟持部は、平面ではなく曲面ローラよりも曲率半径の大きな凹面や凸面に形成してもよい。また、本発明の引き込み機能付き挟持具は、プリント基板に限らず、引き込みながら挟持する必要のあるシート状物であれば他のシート状物の挟持にも用いることが可能である。
【符号の説明】
【００３７】
１０００，２０００  張設治具
１００，２００，３００  引き込み機能付き挟持具
１０  基台
２０  開閉部材
２２  ストッパー
３０  開閉軸
４０  基台側挟持軸
４０ａ，５０ａ  軸心
５０  開閉部材側挟持軸
４１ａ  曲面ローラ
５１ａ  緩面ローラ
６０  付勢手段
９０，２０９０  枠部材
９１，２０９１  縦辺
９２，２０９２  横辺
２２１  アーム部
２７０，３７０  ロック手段
２７１  係止部
２７１ｃ  係止部側挟持片
２７１ｂ，２７２ｂ  磁石
２７２  係合部
２７２ｃ  係合部側挟持片
Ｐ１  仮想平面
Ｔ０  近い位置
【図１】
0006594760.tif 000002
【図２】
0006594760.tif 000003
【図３】
0006594760.tif 000004
【図４】
0006594760.tif 000005
【図５】
0006594760.tif 000006
【図６】
0006594760.tif 000007
【図７】
0006594760.tif 000008
【図８】
0006594760.tif 000009
【図９】
0006594760.tif 000010
【図１０】
0006594760.tif 000011